(57)【特許請求の範囲】
【請求項１】
複数のピンホールが開いているボール着座板体；
前記ボール着座板体の各ピンホールに昇降可能に差し込まれ、上端部が前記ボール着座板体から上方に突出するように設置される複数のピン；
前記ボール着座板体を地面から一定の高さで離隔した状態で支持するためのボール着座板体支持手段；
前記ピンの下側に設置され、前記ピンが下降することを感知して信号を発生させるセンシング部；
ゴルフクラブの打撃によって前記ピンが下降した場合に、前記ピンを元の状態に上昇させるためのピン復帰手段；及び
前記センシング部でセンシングしたデータを視覚的に表現するためのディスプレイ部；
を含むことを特徴とするゴルフディボットチェック装置。
【請求項２】
前記センシング部は、前記ボール着座板体と平行に該ボール着座板体の下部に設置されるセンシングボード；
前記センシングボード上に前記ピンが設置される位置ごとに設置され、前記ピンが下降して該ピンの下端が押下可能な位置に設置される押しスイッチ；を含むことを特徴とする、請求項１に記載のゴルフディボットチェック装置。
【請求項３】
前記ボール着座板体とセンシング部との間には、前記ピンが垂直に起動することを案内するためのピン案内手段；を含むことを特徴とする、請求項１に記載のゴルフディボットチェック装置。
【請求項４】
前記ボール着座板体の設置高さと同じ高さを有する足場をさらに含むことを特徴とする、請求項１に記載のゴルフディボットチェック装置。
【請求項５】
前記ピン復帰手段は、
前記センシング部を支持するものであり、下端が傾斜面になっている昇降板；
上端が前記昇降板の下端と接する傾斜面になっており、水平方向に起動する水平起動板；
前記水平起動板の側方に設置され、前記水平起動板を水平方向に起動させることによって前記昇降板を昇降させる水平起動部；を含むことを特徴とする、請求項１に記載のゴルフディボットチェック装置。
【請求項６】
前記ボール着座板体は：
表面に人工芝が植えられている芝マット；前記芝マットの下側に設置される第１ゴム板；及び前記第１ゴム板を支持する下部支持板で構成され；
前記第１ゴム板に設けられるピンホールの直径は、前記ピンの直径よりも小さくて前記ピンの昇降時にピンを加圧可能になっていることを特徴とする、請求項１に記載のゴルフディボットチェック装置。
【請求項７】
前記ピンの中間部分には止め台が突出形成され、前記ピンの上下起動範囲が制限されることを特徴とする、請求項１に記載のゴルフディボットチェック装置。
【発明の詳細な説明】
【技術分野】
【０００１】
本発明は、ゴルフディボットチェック装置に関し、より具体的には、打撃時にクラブが地面に当たる位置、面積又は軌跡をチェックして打者のスイングを改善させることができるゴルフディボットチェック装置に関する。
【背景技術】
【０００２】
ゴルフにおいてディボット（ｄｅｖｏｔ）とは、クラブがゴルフボールを打つ際にクラブが地面に当たって地面が窪む位置、面積又はその軌跡のことを指す。
【０００３】
このディボットから、所望の通りに正確に打撃したかどうかが確認できる。このディボットを知ることによって、自分のスイング姿勢、ボールの位置又はヒッティングポイントなどを修正していくことができる。しかし、一般の室内外ゴルフ練習場ではこのような情報を正確に得ることができず、クラブの通過した跡が見られる地面でこそある程度測ることができた。
【０００４】
ゴルフのスイング姿勢を矯正したりスイングの実力を向上させるための様々なゴルフ練習装置又は手段が提案されたことがある。
【０００５】
例えば、大韓民国特許出願第１０−２０１３−０００３１１２号は、ゴルフスイング練習時に、バックスイングの正確度の維持、ゴルフクラブと肩との適度の間隔、両手グリップ状態における両腕の配置状態、バックスイングの速度、スイング軌道の維持とフィニシュスイングの正確度などの様々なスイング動作をより効果的で能動的に練習可能にするものである。この従来技術発明は、ガイドレバーと連結された駆動レバーが連結部材のケーシング内において固定ピンで軸設置されることによって本体シャフトに対して９０゜で開放されたり、本体シャフトと平行な状態で固定ホルダー側に折り畳まれる２段の作動システムを維持する構成を提供する。
【０００６】
また、大韓民国実用新案登録出願第２０−２０１２−００１０００６号は、スイング軌道内の空所に設置することによって、別の空間を必要としなく、他人の視線を意識しなくて済むほどに簡単な練習道具を提供することによって、ヘッドアップ及びスウェーを改善し、正しいスイング軌道とコッキングを向上させることができ、また、好ましい姿勢でスイングする場合、ゴルファーの身体とゴルフクラブが動く半径約２ｍの楕円形空間内でスイングに支障を受けない唯一の空間を見つけて棒を設置し、ゴルファーのスイング軸と重心点の移動を点検できるゴルフスイング練習装置に関する。
【０００７】
このように、従来もゴルフスイング姿勢の改善のための多方面の努力があったが、地面のディボットを観察することによってスイングを改善しようとする努力はほんどなかった。
【発明の概要】
【発明が解決しようとする課題】
【０００８】
上記のような問題に対する本発明の目的は、ゴルフにおいて実際にボールを打つことによって地面にできるディボットの形態、位置、軌跡を用いてスイング姿勢を改善してスイング実力を向上させるためのゴルフ練習装置を提供することにある。より具体的には、ゴルフ練習場、家庭又は事務室でも容易に設置して使用できるゴルフ練習装置を提供することにある。
【課題を解決するための手段】
【０００９】
上記の目的は、複数のピンホールが開いているボール着座板体；前記ボール着座板体の各ピンホールに昇降可能に差し込まれ、上端部が前記ボール着座板体から上方に突出するように設置される複数のピン；前記ボール着座板体を地面から一定の高さで離隔した状態で支持するためのボール着座板体支持手段；前記ピンの下側に設置され、前記ピンが下降することを感知して信号を発生させるセンシング部；ゴルフクラブの打撃によって前記ピンが下降した場合に前記ピンを元の状態に上昇させるためのピン復帰手段；前記センシング部でセンシングしたデータを視覚的に表現するためのディスプレイ部；を含むことを特徴とするゴルフディボットチェック装置によって達成される。
【００１０】
本発明の特徴によれば、前記センシング部は、前記ボール着座板体と平行に該ボール着座板体の下部に設置されるセンシングボード；前記センシングボード上に前記ピンが設置される位置ごとに設置され、前記ピンが下降して該ピンの下端が押下可能な位置に設置される押しスイッチ；を含むことができる。
【００１１】
本発明の他の特徴によれば、前記ボール着座板体とセンシング部との間には前記ピンが垂直に起動することを案内するためのピン案内手段；を含むことができる。
【００１２】
本発明のさらに他の特徴によれば、前記ボール着座板体の設置高さと同じ高さを有する足場をさらに含むことができる。
【００１３】
本発明のさらに他の特徴によれば、前記ピン復帰手段は、前記センシング部を支持し、下端が傾斜面となっている昇降板；上端が前記昇降板の下端と接する傾斜面になっており、水平方向に起動する水平起動板；前記水平起動板の側方に設置され、前記水平起動板を水平方向に起動させることによって前記昇降板を昇降させる水平起動部；を含むことができる。
【００１４】
本発明のさらに他の特徴によれば、前記ボール着座板体は、表面に人工芝が植えられている芝マット；前記芝マットの下側に設置される第１ゴム板；及び前記第１ゴム板を支持する下部支持板；で構成され、前記第１ゴム板に作られるピンホールの直径が前記ピンの直径よりも小さくて、昇降するピンを加圧するようになっている。
【００１５】
本発明のさらに他の特徴によれば、前記ピンの中間部分には止め台が突出形成されることによって前記ピンの上下起動範囲を制限することができる。
【発明の効果】
【００１６】
上記のような構成によれば、ピンがボール着座板体の上面から突出した状態でクラブでボールを打撃する場合、クラブがボール着座板体を摩って通る位置に置かれたピンは衝撃を受けて下降する。センシング手段は下降したピンを感知し、それを各種モニター上に表現することによって、ディボットを視覚的にディスプレイする。使用者はモニターにディスプレイされたディボットを分析して自分のスイングを改善及び研究することが可能になる。
【図面の簡単な説明】
【００１７】
【図１】本発明の実施例によるゴルフディボットチェック装置の全体斜視図である。
【図２】本発明の実施例によるゴルフディボットチェック装置の層構成図である。
【図３】本発明の実施例によるゴルフディボットチェック装置の全体斜視図である。
【図４】本発明の実施例によるゴルフディボットチェック装置の断面構成図である。
【図５】本発明の実施例によるゴルフディボットチェック装置のピン復帰手段の作用状態を示す断面構成図である。
【図６】本発明の実施例によるゴルフディボットチェック装置のピン復帰手段の作用状態を示す断面構成図である。
【発明を実施するための形態】
【００１８】
本発明は、複数のピンホールが開いているボール着座板体；該ボール着座板体の各ピンホールに昇降可能に差し込まれ、上端部が前記ボール着座板体から上方に突出するように設置される複数のピン；前記ボール着座板体を地面から一定の高さで離隔した状態で支持するためのボール着座板体支持手段；前記ピンの下側に設置されるものであり、前記ピンが下降することを感知して信号を発生させるセンシング部；ゴルフクラブの打撃によって前記ピンが下降した場合に前記ピンを元の状態に上昇させるためのピン復帰手段；及び前記センシング部でセンシングしたデータを視覚的に表現するためのディスプレイ部；を含むゴルフディボットチェック装置を提供しようとするものである。
【００１９】
《実施例》
以下、明細書に添付する図面を参照して、本発明の実施例を詳細に説明する。
まず、図１を参照して装置全般について説明する。図１は、本発明の実施例によるゴルフディボットチェック装置の全体斜視図である。
【００２０】
本発明のゴルフディボットチェック装置はゴルフボール１を載置できる装置本体１００と、装置本体１００の一側に置かれる足場２００を含む。これらは一体型に設置されてもよく、分離型に構成されてもよい。後者の場合、携帯性を高めることができる。分離型の場合にも、打撃時に装置本体１００が揺り動くことを防止する必要はあるので、使用に当たっては所定のホルダー２３０によって足場２００と装置本体１００とが互いに固定されることが好ましいだろう。装置本体１００の上面には全体的に又は部分的に人工芝が設置される。装置本体１００は有線又は無線でスマートフォン２やコンピュータ（又はモニター）３のようなディスプレイ装置に連結される。
【００２１】
以下では、図２〜図５を参照して装置本体１００の構成及び作用について説明する。図２は、本発明の実施例によるゴルフディボットチェック装置の層構成図であり、図３は全体斜視図であり、図４は断面構成図である。図５は、ピン復帰手段の作用を示す断面構成図である。
【００２２】
装置本体１００の上部に位置するボール着座板体１１０，１２０，１３０には複数のピンホール１１１，１２１，１３１が開いている。ボール着座板体１１０，１２０，１３０の表面には人工芝が植えられている。ボール着座板体１１０，１２０，１３０は、人工芝１１２が設置される芝マット１１０、芝マット１１０の下側に設置される第１ゴム板１２０及び第１ゴム板１２０を支持する下部支持板１３０で構成され得る。これらは、互いに接合して一体にしてもよく、必要によって芝マット１１０を交替可能に分離型にしてもよい。
【００２３】
複数のピン３００が各ピンホール１１１，１２１，１３１に昇降可能に差し込まれる。ピン３００の上端部がボール着座板体１１０，１２０，１３０から上方に突出するように設置される。ピンはゴルフクラブと当接する構成要素であり、ｐｃのような強靭な素材からなっている。ピン３００の上端３０１は丸くなっている。ピン３００は所定長さの棒の形態になっており、止め台３０２が中間部分に突出形成されている。ピンの個数は調整可能である。ピン３００は、例えば２００〜４００個を設置することができ、直径は６．５ｍｍであり得る。ピン３００の設置間隔は縦横５〜１０ｍｍであり得る。勿論、この数値によって本発明の権利範囲が制限されるわけではない。
【００２４】
ボール着座板体支持手段はボール着座板体１１０，１２０，１３０を地面から一定の高さで離隔した状態で支持する。ボール着座板支持手段は図３に示される。これについては後述する。
【００２５】
センシング部１６０，１７０がピン３００の下側に設置される。センシング部１６０，１７０は、ピン３００がクラブ（図示せず）の衝撃によって下降することを感知して信号を発生させる。センシング部１６０，１７０は、ボール着座板体１１０，１２０，１３０と平行にこれらの下部に離隔して設置されるセンシングボード１６０と、センシングボード１６０上に前記ピン３００が設置される位置ごとに設置されるが、前記ピン３００が下降して該ピンの下端によって押され得る位置に設置される押しスイッチ１６１とを含むことができる。押しスイッチ１６０は、コンピュータのキーボードのように、ピン３００が上から押したりタッチすると信号を発生させるものであり、ピン３００と一対一で対応するように設置される。センシングボード１６０は回路基板で構成され得る。センシングボード１６０はボール支持板１７０によって支持され得る。
【００２６】
ディスプレイ部は、センシング部１６０，１７０でセンシングによって発生させた信号、すなわちディボット信号を視覚的に表現する。ディスプレイ部は、図１に示すように、スマートフォン２、コンピュータ３のモニター、又は電光板などであり得る。当業者は様々な方法でディボット信号を出力できよう。
【００２７】
ピン復帰手段１８０は、ボール着座板体に置かれたゴルフクラブの打撃によって前記ピンが下降した場合、前記ピン３００を元の状態に上昇させる（図５（ａ）から図５（ｂ）への状態に）。様々な方式でピン復帰手段を構成することができる。本実施例によれば、センシング部１６０，１７０の下側に設置される駆動モーター１８２の回転力を用いている。すなわち、ピン復帰手段は、昇降板１８６、水平起動板１８５及び水平起動部を含む。
【００２８】
昇降板１８６は、センシング部１６０，１７０を支持するものであり、下端１８６ａが傾斜面になっている。昇降板１８６はボール支持板１７０の底面に固定されている。水平起動板１８５が昇降板１８６の下側にこれと接触するように設置される。水平起動板の上端１８５ａは前記昇降板の下端１８６ａと接する傾斜面になっている。すなわち、昇降板の下端１８６ａと水平起動板の上端１８５ａが互いに傾斜度を持って接している。この接触面の摩擦力を減らすために潤滑手段を介入させることができる。固体潤滑剤が用いられてもよく、実の金属性レールが潤滑手段として使用されてもよい。
【００２９】
水平起動板の下端は水平に直線運動可能に床板１８１上に設置され得る。床板１８１には底レール（図示せず）が設けられ、水平起動板１８５を水平に起動可能にしている。これによって、水平起動板１８５が傾斜面と直角をなす方向に水平起動すると、昇降板１８６は垂直方向に起動するようになる。水平起動部は水平起動板１８５を水平起動させる。
【００３０】
水平起動部は、床板１８１の上面に固定設置される駆動モーター１８２と、減速器を媒介にして駆動モーター１８２の出力軸に連結されるネジ棒１８３と、ネジ棒１８３にねじ結合し、両端が水平起動板１８５に連結される移動バー１８４とを含む。ネジ棒１８３の軸回転によって移動バー１８４は水平に起動する。勿論、ネジ棒１８３と移動バー１８４との連結部位にはベアリングのような潤滑手段が設置され得る。駆動モーター１８２は、所望の時間及び回転数だけ回転させ得るサーボモーターであり得る。
【００３１】
本発明の実施例によれば、ボール着座板体１１０，１２０，１３０とセンシング部１６０，１７０との間には、前記ピン３００が垂直に起動することを案内するためのピン案内手段がさらに設置され得る。
【００３２】
ピン案内手段１４０，１５０は、全面にわたってピン３００と一対一で対応するピンホール１５１が設けられたガイド板１５０と、ガイド板１５０上面に載置される第２ゴム板１４０とを含むことができる。第２ゴム板１４０にもピンホール１４１がピン３００の位置に対応するように設けられ得る。
【００３３】
以下、ボール着座板支持手段を、図３を参照して説明する。垂直ガイド棒１９０の下端は床板１８１に固定され、上端はボール着座板体１１０，１２０，１３０に支持される。垂直ガイド棒１９０は複数個で設置され、ボール着座板体１１０，１２０，１３０の左右両側にそれぞれ設置される。ピン案内手段１４０，１５０及びセンシング部１６０，１７０はこの垂直ガイド棒１９０に沿って垂直方向に昇降可能に設置される。勿論、駆動モーター１８２の起動によってピン案内手段１４０，１５０とセンシング部１６０，１７０が同時に昇降する。センシング部１６０，１７０とピン案内手段１４０，１５０とが一定の距離で離隔したままで固定される。
【００３４】
本発明の実施例によれば、ピン３００は一定の区間でのみ昇降するように制限され得る。ピン３００の中間には半径方向に止め台３０２が突出形成される。この止め台３０２は、ピン３００が各ピンホール１１１，１２１，１３１を通過することを防止するものであり、ボール着座板体１１０，１２０，１３０とピンガイド手段１４０，１５０との間の空間に位置する。したがって、ピンは、図４に示すように、ボール着座板体とピンガイド手段との間隔Ｇに対応する距離だけ上下に起動する。ピン３００が下降しすぎてセンシングボード１６０を損傷することを防止するとともに、ボール着座板体１１０，１２０，１３０の上方に抜けてしまうことを防止するためである。
【００３５】
一方、ピン３００があまりにも容易く昇降することを防止するための起動制限手段がさらに設けられる。この起動制限手段は、前述した第１及び第２ゴム板１２０，１４０であり得るが、第１及び第２ゴム板１２０，１４０に設けられたピンホール１２１，１４１の直径をピン３００の直径よりもやや小さくすることによってピン３００の外周面を少し押さえて任意に移動することを抑えることができる。例えば、ピンの本体３０３の直径を６．５ｍｍにし、第１及び第２ゴム板のピンホール１２１，１４１の直径を６．４ｍｍにすればよい。第１及び第２ゴム板１２０，１４０の厚さは３ｍｍ程度が好ましく、ゴムの他にウレタンのような弾性素材も使用可能であることは勿論である。参考として、芝マット１１０、支持板１３０、ガイド板１５０のピンホール１１１，１３１，１５１は、ピン本体３０３の直径よりもやや大きくしてピン３００が円滑に貫通し得るようにすることが好ましい。例えば、これらのピンホール１１１，１３１，１５１の直径は７ｍｍにすることができる。
【００３６】
本発明のさらに他の特徴によれば、前記装置本体１００の設置高さと同じ高さを有する足場２００をさらに含むことができる。足場２００は、足で踏む面とボール着座板体１１０，１２０，１３０の上面とが同一高さに位置するように設けられる。足場２００は、支持体２１０と、支持体２１０の上面に載せられる支え板２２０で構成され得る。これらは分離可能であり、支持体２１０も同様、携帯性を高めるために折り畳んで体積を最小化できる形態で構成できる。支え板２２０の上面にはすべりを防止するための手段が設置され得る。
【００３７】
以下、本発明の装置の作用を、図４及び図５を主に参照して説明する。
【００３８】
ピン３００がピン着座板体１１０，１２０，１３０の上面からいずれも突出した状態でその中央にボール１を載せて置き、足場２００に立ってスイングをすると、クラブがボール３００を打撃すると同時にピン３００を擦って通る。すなわち、クラブが当たるピン３００’にも衝撃がかかる。このため、当該ピン３００’が下降し、下降しながらセンシング部の該当の押しスイッチ１６１’を起動させて信号を発生させる。すると、所定のプログラムによってディスプレイ部は、図４に示すようなディボットを視覚的に表示する。クラブによってタッチされなかったピン３００”及びそれに対応する押しスイッチ１６１”からは信号が発生しないだろう。
【００３９】
ピン着座板体１１０，１２０，１３０の上面にボール１を載せる位置を定め、それをプログラムに入力しておくと、ボール１の位置とディボットの位置、面積及び軌跡が共に表現され得、これに基づいて、自分のスイングを分析し、改善点を見つけることができるわけである。ボール１を載せる位置にはピン３００を設置しないことによって、或いはマーキングをすることによって、その位置を識別可能にする。
【００４０】
一度スイングをして一団のピン３００’が下降し、ディボットがディスプレイされると、使用者の指示によって又は自動的に駆動モーター１８２が起動してセンシング部を上昇させることによってピン３００’の下端部３０４が上方に押し付けられつつ他のピン３００”の位置に復帰するようになる。そして、駆動モーター１８２は反対に回転してセンシング部１６０，１７０を原位置に戻す。すなわち、装置が再びセッティングされ、次のスイングを待つようにする。
【００４１】
図示してはいないが、ピン復帰手段としてはバネのような弾性体が使用されてもよい。ピンが瞬間的に押しスイッチを押した後、弾性的に復帰するようにする。バネは、一端がピン３００に支持され、他端がセンシング部１６０，１７０やピン案内手段１４０，１５０に支持されるように設置されるコイルバネであり得る。
【００４２】
以上の説明は本発明の技術的思想に基づく例示に過ぎない。当業者は、特許請求の範囲で表現される本発明の技術的思想の範囲を超えない範囲で例示のものを活用して様々な変形実施が可能であろう。例えば、上に説明された実施例はいずれも当業者にとって自由に組み合わせて実施でき、いかなる組合せも本発明の権利範囲に含まれるものと解釈すべきである。
【産業上の利用可能性】
【００４３】
本発明は、打撃時にクラブが地面に当たる位置、面積又は軌跡をチェックして打者のスイングを改善させることができるゴルフディボットチェック装置分野に適用可能である。
【図１】
0006882638.tif 000002
【図２】
0006882638.tif 000003
【図３】
0006882638.tif 000004
【図４】
0006882638.tif 000005
【図５】
0006882638.tif 000006
【図６】
0006882638.tif 000007